(57)【要約】【課題】収穫時や植生時に植物の根部を保護して絡まりを防止し、良好な衛生を維持しつつ作業性を向上可能な水耕栽培装置の苗受部構造を提供することを目的とする。【解決手段】植栽を行う構造ユニットの後方及び／又は前方に受け部を具備する水耕栽培装置の苗受部構造であって、前記受け部が、（１）前記構造ユニットから後方及び／若しくは前方に突出した水耕栽培用水槽、並びに／又は、（２）前記構造ユニットから後方及び／若しくは前方に突出するように設置された植生トレー、によって片持ち構造で構成されており、植物を前記水耕栽培装置に挿入又は排出する際に前記植物を支持すること、を特徴とする水耕栽培装置の苗受部構造。【選択図】図１
2019150001.tif 000002
【特許請求の範囲】
【請求項１】
植栽を行う構造ユニットの後方及び／又は前方に受け部を具備する水耕栽培装置の苗受部構造であって、
前記受け部が、（１）前記構造ユニットから後方及び／若しくは前方に突出した水耕栽培用水槽、並びに／又は、（２）前記構造ユニットから後方及び／若しくは前方に突出するように設置された植生トレー、によって片持ち構造で構成されており、植物を前記水耕栽培装置に挿入又は排出する際に前記植物を支持すること、
を特徴とする水耕栽培装置の苗受部構造。
【請求項２】
前記受け部が略樋状体であり、前記構造ユニットの近傍において前記受け部に排水管が接続されること、
を特徴とする請求項１に記載の水耕栽培装置の苗受部構造。
【請求項３】
前記受け部が前記構造ユニット側に下降する勾配を有していること、
を特徴とする請求項１又は２に記載の水耕栽培装置の苗受部構造。
【請求項４】
前記受け部が、前記構造ユニットから延びた構造支持材と、
前記構造支持材に載置された前記植生トレーと、を具備して構成され、
前記植生トレーには、前記植物の根部を保持する凹溝が形成されていること、
を特徴とする請求項１〜３のいずれかに記載の水耕栽培装置の苗受部構造。
【請求項５】
前記凹溝の長尺方向が、前記水耕栽培装置が具備する水耕栽培用水槽の長尺方向と略平行で、前記水耕栽培用水槽と前記植生トレーの前記凹溝との断面形状が適合していること、
を特徴とする請求項４に記載の水耕栽培用装置の苗受部構造。
【発明の詳細な説明】
【技術分野】
【０００１】
本発明は、水耕栽培装置を用いた植物の収穫時や植生時に植物を支持し、衛生状況の維持と作業性を向上させた水耕栽培装置の苗受部構造に関する。
【背景技術】
【０００２】
近年、土壌を用いる必要が無く、屋内の狭い空間において高密度な生産が可能で、また、天候の影響を受けること無く温度や湿度等を調整でき、さらには、雑菌や害虫等による汚染を除去しやすい等の多くの利点から、水耕栽培装置が注目されている。当該水耕栽培装置は、植物を生育する栽培棚を上下方向に所定の離間距離で多段に配置すると共に、各水耕容器の上方部側に照明装置を設けた水耕栽培装置が一般に採用されている。
【０００３】
上記水耕栽培用装置の一部には、植物の植生部及び収穫部に台を具備しているものがあり、この台に植生時及び収穫時の植物（苗）を一時載置するなどして、一連の作業性を向上するものが存在する（例えば特許文献１参照）。また、専用のキャスタ等を構成し、植生時及び収穫時に所望の場所に配設して作業の利便性を向上するものも存在する。
【先行技術文献】
【特許文献】
【０００４】
【特許文献１】特開２０１７−１９２３３５号公報
【発明の概要】
【発明が解決しようとする課題】
【０００５】
しかしながら、従来の水槽では、植生及び収穫時の作業性向上を目的として極単純な構造の平滑な作業台が用いられており、この作業台の上に植物を載置すると根部が圧迫され、株ごとの根部が絡まってしまうおそれがあった。また、植生時に根部を痛めると良好な成長が阻害されてしまい、所望の栽培を行えない。  
【０００６】
そこで、植生及び収穫時の作業性向上を目的として用いる台の構造に着目すると、この台の上に載置した植物の根部を保護する構造を備えておらず、植物の根部の痛みや絡まりを防止できないのは明らかであって、未だ改良の余地があった。
【０００７】
そこで、本発明は、上記問題に鑑みて創作されたものであり、収穫時や植生時に植物の根部を保護して絡まりを防止し、良好な衛生を維持しつつ作業性を向上可能な水耕栽培装置の苗受部構造を提供することを目的とする。
【課題を解決するための手段】
【０００８】
上記の課題を解決すべく、本発明は、
植栽を行う構造ユニットの後方及び／又は前方に受け部を具備する水耕栽培装置の苗受部構造であって、
前記受け部が、（１）前記構造ユニットから後方及び／若しくは前方に突出した水耕栽培用水槽、並びに／又は、（２）前記構造ユニットから後方及び／若しくは前方に突出するように設置された植生トレー、によって片持ち構造で構成されており、植物を前記水耕栽培装置に挿入又は排出する際に前記植物を支持すること、
を特徴とする水耕栽培装置の苗受部構造を提供する。
【０００９】
このような構成を有する本発明の水耕栽培装置の苗受部構造では、受け部を、水耕栽培装置の長尺方向の後方（植物の排出側）及び／又は前方（植物の挿入側）に片持ち構造で構成することで、植物を水耕栽培装置内から取り出して収穫する際、植物を受け部に一旦載置して、根部の養液を十分に取り除いてから所定の外部位置等に移動することができるため、作業性を向上して使用者の身体的負担を軽減することができ、更に養液等の水分が床等に垂下することを防止できる。また、耕栽培装置内に植物を挿入して栽培を開始する際にも同様の効果を得ることができる。なお、植物を植生可能な植生プレートを用いる水耕栽培装置に適応する場合は、植生プレートを受け部に一旦置いて作業することができる。また受け部が片持ち構造であるため、受け部下方が作業に干渉せず、より作業性を好適に向上することができる。
【００１０】
また、上記の本発明の水耕栽培装置の苗受部構造においては、前記受け部が略樋状体であり、前記構造ユニットの近傍において前記受け部に排水管が接続されることが望ましい。
【００１１】
このような構成を有する本発明の水耕栽培装置の苗受部構造では、排水管を構造ユニット側（水耕栽培装置側）に配設することで、植物を植生した植生プレートを水耕栽培装置内から取り出して収穫する際（水耕栽培装置内に挿入して栽培を開始する際も同様）、植生プレートが排水管に接触して作業性を低下させる等、作業に伴う種々の取り回しの制約が解消され、より簡便に作業を実施することができる。
【００１２】
また、上記の本発明の水耕栽培装置の苗受部構造においては、前記受け部が、前記構造ユニット側に下降する勾配を有していることが望ましい。
【００１３】
このような構成を有する本発明の水耕栽培装置の苗受部構造では、受け部で受けた養液等の水分を勾配により、構造ユニット側（水耕栽培装置側）の水耕栽培用水槽内に流すことができるため養液等の水分が長時間受け部内に溜まらず、衛生的に良好な状態を維持することができる。
【００１４】
また、上記の本発明の水耕栽培装置の苗受部構造においては、前記受け部が、前記構造ユニットから延びた構造支持材と、前記構造支持材に載置された植生トレーと、を具備して構成され、前記植生トレーには、前記植物の根部を保持する凹溝が形成されていることが望ましい。
【００１５】
このような構成を有する本発明の水耕栽培装置の苗受部構造では、荷重を支持する構造支持材と植物を受ける植生トレーとを別個に形成できるため、構造支持材を容易に構造ユニット（水耕栽培装置）に容易かつ確実に接続することができる。また、植生トレーの形状をより最適化することができ、植物の根部の下方を確実に受ける凹溝が形成できる。また、凹溝を複数列形成することにより、植物の根部を内部に挿入することで自重等による圧力から根部を保護し、更にそれぞれで受けた植物の根部の絡まりを防止してスムーズに作業を行うことができる。
【００１６】
また、上記の本発明の水耕栽培装置の苗受部構造においては、更に、前記凹溝の長尺方向が、前記水耕栽培装置が具備する水耕栽培用水槽の長尺方向と略平行で、前記水耕栽培用水槽と前記植生トレーの前記凹溝との断面形状が適合していることが望ましい。
【００１７】
このような構成を有する本発明の水耕栽培装置の苗受部構造では、凹溝と水耕栽培用水槽とが水耕栽培装置の長尺方向に略平行で、前記水耕栽培用水槽と前記植生トレーの前記凹溝との断面形状が適合していれば、植生トレーの凹溝と水耕栽培用水槽とを容易に接続（嵌合）することができる。
【発明の効果】
【００１８】
本発明によれば、収穫時や植生時に植物の根部を保護して絡まりを防止し、良好な衛生を維持しつつ作業性を向上可能な水耕栽培装置の苗受部構造を提供することができる。
【図面の簡単な説明】
【００１９】
【図１】受け部５を備えた水耕栽培装置の苗受構造における概要を示す模式図である。
【図２】植生トレー１１の構造を示す斜視図である。
【図３】植生トレー１１の平面図であり、図３（ｂ）は、図３（ａ）における矢視Ａで断面視した植生トレー１１の断面図であり、図３（ｃ）は、図３（ａ）における矢視Ｂで断面視した植生トレー１１の断面図である。
【図４】受け部５の構成を示す図であって、図４（ａ）は、受け部５の断面図であり、図４（ｂ）は、受け部５の平面図である。
【図５】受け部１０５を備えた水耕栽培装置の苗受構造における概要を示す模式図である。
【図６】受け部２０５を備えた水耕栽培装置の苗受構造における概要を示す模式図である。
【図７】構造支持材９の構造を示す図であって、図７（ａ）は、構造支持材９の側面図であり、図７（ｂ）は、構造支持材９の平面図である。
【図８】受け部２０５の構造を示す図であって、図８（ａ）は、受け部２０５の側面図であり、図８（ｂ）は、受け部２０５の平面図である。
【発明を実施するための形態】
【００２０】
本発明に係る植栽を行う構造ユニットの後方及び／又は前方に受け部を具備する水耕栽培装置の苗受部構造は、前記受け部が、（１）前記構造ユニットから後方及び／若しくは前方に突出した水耕栽培用水槽、並びに／又は、（２）前記構造ユニットから後方及び／若しくは前方に突出するように設置された植生トレー、によって片持ち構造で構成されていること、を特徴とする。即ち、上記受け部は上記（１）及び（２）の各要素を適宜組み合わせて構成することができる。以下においては、これらの水耕栽培装置の苗受部構造の代表的な実施形態を、図面を参照しながら詳細に説明する。
【００２１】
具体的には、以下において、本発明の水耕栽培装置の苗受構造（受け部の構造）の、３種の実施形態を説明する。第一の形態は、構造ユニットから突出させた水耕栽培用水槽に植生トレーを載置して構成した受け部５で構成され、第二の形態は構造ユニットから突出させた水耕栽培用水槽で構成した受け部１０５で構成され、第三の形態は、構造ユニットに固定した構造支持材で植生トレーを支持して構成した受け部２０５で構成されている。但し、本発明は図示されるものに限られるものではなく、各図面は本発明を概念的に説明するためのものであるから、理解容易のために必要に応じて寸法、比又は数を誇張又は簡略化して表している場合もある。更に、以下の説明では、同一又は相当部分には同一符号を付し、重複する説明は省略することもある。
【００２２】
≪実施形態１≫
１．受け部５を備える水耕栽培装置の苗受構造
図１を用いて、受け部５を備えた水耕栽培装置の苗受構造における概要について説明する。図１は、受け部５を備えた水耕栽培装置の苗受構造における概要を示す模式図である。なお、本実施形態では、水耕栽培装置１の幅方向をＹ、長尺方向をＸ、高さ方向をＺとして説明する。
【００２３】
本実施形態の水耕栽培装置１は、天候及び気温、さらに害虫等の種々の影響を低減し、植物５１の光合成を高効率化しつつ安定した栽培を可能にするものであり、長尺方向Ｘの後方（植物５１の排出側）又は後方及び前方（植物５１の挿入側）に、収穫時や植生時の植物５１を支持する受け部５（構造ユニット３から突出させた水耕栽培用水槽１５に植生トレー１１を載置させて構成）を具備することを特徴とする。この受け部５により、収穫時や植生時に植物５１の根部５３に付着した養液等の水分の垂下を防止しつつ、作業性を向上させることができる。
【００２４】
また、水耕栽培装置１は、本体を形成する構造ユニット３と、植物５１を保持する植生プレート１７と、植物５１に光を照射して光合成を促す照明装置（図示せず）と、植物５１の根部５３に養液を供給する略Ｕ字状（樋形状）の断面形状を有した長尺の水耕栽培用水槽１５と、栽培エリア内の空気を外部に排出させる排気ファン（図示せず）と、構造ユニット３で構成した本体の天部に配設される天板（図示せず）及び側部に貼付けられる側板（図示せず）と、等で構成される。これらには従来公知の構成を用いることができ、例えば特開２０１７−０４２００９号公報に示される水耕栽培装置等に用いられる構成を採用することができる。
【００２５】
２．受け部５の構造
本実施形態で用いる受け部５は、水耕栽培装置１が内部に具備する水耕栽培用水槽１５を構造ユニット３から後方及び前方（長尺方向Ｘ）に突出させ、この水耕栽培用水槽１５の上方に後述する植生トレー１１を載置して構成している。
【００２６】
３．植生トレー１１の構造
図２及び図３（ａ）（ｂ）（ｃ）を用いて、植生トレー１１の構造について詳細に説明する。図２は、植生トレー１１の構造を示す斜視図である。また図３（ａ）（ｂ）（ｃ）は、植生トレー１１の構造を示す図であって、図３（ａ）は、植生トレー１１の平面図であり、図３（ｂ）は、図３（ａ）における矢視Ａで断面視した植生トレー１１の断面図であり、図３（ｃ）は、図３（ａ）における矢視Ｂで断面視した植生トレー１１の断面図である。
【００２７】
図２に示すとおり、植生トレー１１は、板状部品であり、例えば所定の剛性を有する樹脂や、耐蝕性を有する金属材料を用いて形成される。この植生トレー１１は、素材に応じて例えば射出成形やプレス成形等の加工手法を用いて形成することができ、高さ方向Ｚにいくつかの凹凸を形成し、植物５１を好適に支持するよう形成されている。
【００２８】
植生トレー１１の表面から高さ方向Ｚの下方に凹状形成された凹溝１３は、所定の幅寸法及び深さ寸法で形成され、長尺方向Ｘに延びた長尺状の溝である。凹溝１３の長尺方向Ｘにおける一方の端部は植生トレー１１の端縁まで延びて外部と連通しており、他方の端部は植生トレー１１の端縁から多少の間隔を設け、外部とは連通していない。
【００２９】
なお、凹溝１３の幅寸法及び深さ寸法は、水耕栽培装置１が具備する水耕栽培用水槽１５の幅寸法及び深さ寸法（断面寸法）より小さく設定することが望ましい。また、凹溝１３の長尺方向Ｘの長さ寸法Ｌ４は、水耕栽培装置１に使用する植生プレート１７のサイズに応じて決定することが望ましく、特に、植物５１を植生する孔（図示せず）の位置及び間隔を考慮して適宜決定すればよい（特に図３（ａ）及び（ｃ）参照）。
【００３０】
上記凹溝１３の形成数は、水耕栽培装置１が具備する水耕栽培用水槽１５の配設数等に応じて決定することが望ましく、互いを水耕栽培用水槽１５の配設間隔と略同様に配設することが好ましい。なお、短尺方向Ｙの両端に形成された凹溝１３の更に外側と、凹溝１３の長尺方向Ｘの上記他方の端部から更に外側と、には、縁部として所定幅の平滑部１９が形成されている。
【００３１】
凹溝１３の長尺方向Ｘの一方の端部近傍には、短尺方向Ｙと略平行なリブ２１が形成されている。このリブ２１は、受け部５を用いて収穫時や植生時の植物５１を支持した際、植物５１が流れ出したりすることを抑制でき、また、植物５１の根部５３から受けた養液等の水分を即時的かつ大量に水耕栽培用水槽１５に逆流させることを抑制するものであって、一定量の水分をリブ２１が堰き止めることで水耕栽培用水槽１５側への流量を抑えることができる。リブ２１の高さ寸法は、栽培する植物５１の種類や、使用する養液量等から適宜決定することが好ましい（図３（ａ）及び（ｃ）参照）。
【００３２】
また、植生トレー１１の端部、特に平滑部１９の外部側には、所定の高さ寸法を有する立上り部２３が形成されている。この立上り部２３は、植物５１の根部５３から受けた水分が大量で、水位が凹溝１３を越えても受け部５から外部に溢れ出ることを抑制するものである。立上り部２３の高さ寸法は、凹溝１３のサイズ及び植生トレー１１全体のサイズから適宜決定すればよい。
【００３３】
４．水耕栽培用水槽１５に対する植生トレー１１の載置
次に、図４（ａ）及び（ｂ）を用いて受け部５の構成について詳細に説明する。図４（ａ）及び（ｂ）は、受け部５の構成を示す図であって、図４（ａ）は、受け部５の断面図であり、図４（ｂ）は、受け部５の平面図である。上述のとおり、本実施形態で用いる受け部５は、構造ユニット３から後方及び前方（長尺方向Ｘ）に突出させた水耕栽培用水槽１５に植生トレー１１を載置して構成したものである。
【００３４】
図４（ａ）に示すとおり、受け部５は、植生トレー１１を水耕栽培用水槽１５の上方に面接した状態で載置し構成されるものであって、双方は完全には固定されない。より具体的には、植生トレー１１の凹溝１３の一方の端部（外部と連通した端部）を水耕栽培装置１側に対向させ、所定の勾配角度θで傾斜（水耕栽培用水槽１５の端部に植生トレー１１の後方側底面を乗せている。）させながら、上記凹溝１３の一方の端部が水耕栽培装置１内に配設された水耕栽培用水槽１５の端縁から内部に挿入される。植生トレー１１が勾配角度θを有することで、凹溝１３が構造ユニット３側に下降するように傾斜した態様となり、凹溝１３で受けた養液等を水耕栽培用水槽１５側に流すことができる。
【００３５】
凹溝１３と水耕栽培用水槽１５とが水耕栽培装置１の長尺方向Ｘに略平行で、水耕栽培用水槽１５と植生トレー１１の凹溝１３との断面形状が略同様の形状（相似形状）で互いに適合しているため、凹溝１３に水耕栽培用水槽１５が容易に入り込ませて（嵌合させて）積層することができる（特に図４（ｂ）参照）。
【００３６】
５．受け部５を構成することによる効果
上記のように受け部５を水耕栽培装置１の長尺方向Ｘの後方（植物５１の排出側）又は後方及び前方（植物５１の挿入側）に構成することで、植物５１を植生した植生プレート１７を水耕栽培装置１内から取り出して収穫する際、植生プレート１７を受け部５に一旦載置し、根部５３の養液を受けつつ植生トレー１１ごと所定の外部位置に移動（移動後、植生プレート１７下方の根部５３を除去）することができるため、作業性を向上して使用者の身体的負担を軽減することができ、更に養液等の水分が床等に垂下することを防止することができる。
【００３７】
植生プレート１７を受け部５に載置した際、植物５１の根部５３が植生トレー１１の凹溝１３内に挿入されて保護されるため、重量等の圧力で根部５３が痛まず、また株ごとに植物５１が異なる凹溝１３に挿入されるため（同じ凹溝１３に挿入される植物５１は、良好な離間距離が取れるため、接近して絡まない）、互いに干渉しない。
【００３８】
また、耕栽培装置１内に植物５１を植生した植生プレート１７を挿入して栽培（植生）を開始する際にも同様の効果を得ることができる。また、受け部５が上述のとおり片持ち構造であるため、受け部５の下方が種々の作業に干渉しない。
【００３９】
なお、植生トレー１１の凹溝１３で受けた養液等の水分は、植生トレー１１の勾配角度θにより、水耕栽培用水槽１５内に流れるため、凹溝１３内に長時間溜まらず、衛生的にも良好な状態を維持することができる。また、凹溝１３が水耕栽培用水槽１５の載置数と同数となるよう複数列形成されていることにより、それぞれで受けた植物５１の根部５３の絡まりを防止してスムーズに作業を行うことができる。
【００４０】
６．排水管７の位置
図４（ａ）及び（ｂ）に示すとおり、水耕栽培装置１が具備する水耕栽培用水槽１５の川下側（水耕栽培装置１の長尺方向Ｘの後方）の排水管７は、受け部５側に配設せず、水耕栽培装置１側に配設することが望ましい。より具体的には、例えば水耕栽培用水槽１５の川下側の底部と連通するよう排水管７を配設し、下方で構造ユニット３等に沿わせた竪樋（図示せず）等に集水するよう構成することが望ましい。
【００４１】
排水管７を水耕栽培装置１側に配設することで、植物５１を植生した植生プレート１７を水耕栽培装置１内から取り出して収穫する際、植生プレート１７が排水管７に接触して作業性を低下させるなど、作業に伴う種々の取り回しの制約が解消され、より簡便に作業を実施することができる。なお、排水管７は、水耕栽培用水槽１５から外部に養液等を排水するためのものであるが、外部から水耕栽培槽１５に養液等を供給するためには、図示しないが、養液導入管等を適宜設ければよい。
【００４２】
≪実施形態２≫
１．受け部１０５を備える水耕栽培装置の苗受構造
続いて、図５を用いて、構造ユニット３から突出させた水耕栽培用水槽１５により構成した受け部１０５（構造ユニット３から突出させた水耕栽培用水槽１５で構成）を備える水耕栽培装置の苗受構造（実施形態２）について詳細に説明する。上記実施形態１と同様の点については説明を省略することもある。図５は、受け部１０５を備えた水耕栽培装置の苗受構造における概要を示す模式図である。
【００４３】
２．受け部１０５の構造
図５に示すとおり、受け部１０５は水耕栽培装置１が具備する水耕栽培用水槽１５そのものを利用して収穫時や植生時に植生プレート１７を受けるよう構成したものである。より具体的には、水耕栽培用水槽１５を構造ユニット３から長尺方向Ｘの外部に所定量突出させ、構造ユニット３から突出させた部分を受け部１０５とし、この受け部１０５を用いて収穫時や植生時における植生プレート１７の一時置き場とするものである。無論、作業性を向上するだけでなく、養液等が床面５５に垂下することを防止することができる。例えば、栽培槽で収穫可能なレベルに栽培された植物を本受け部に載置し、その後植生プレートから植物を取り外すと共に根部を切り離して収穫する場合などに使用される態様である。
【００４４】
水耕栽培用水槽１５の突出量は、水耕栽培装置１で使用する植生プレート１７の長尺方向Ｘの長さ寸法に応じて適宜決定し、より好ましくは植生プレート１７の長尺方向Ｘの長さ寸法より大きな寸法とすることが望ましい。突出量を植生プレート１７の長尺方向Ｘの長さ寸法より大きな寸法とすれば、収穫時や植生時に植生プレート１７を水耕栽培装置１から容易に引き出し又は挿入することができる。
【００４５】
植生時は、植生プレート１７を受け部１０５に置いた後にそのまま水耕栽培装置１内にスライドして挿入すればよい。収穫時は、水耕栽培装置１内部の植生プレート１７を受け部１０５に引き出した後、植生プレート１７下部の根部５３を除去して植物５１を収穫し、植生プレート１７を取り除いて受け部１０５内（突出させた部分の水耕栽培用水槽１７内）の根部５３を取り除く。
【００４６】
上述のとおり、受け部１０５は非常に簡単な構造から成るため、低コストかつ簡便に構成することができる特徴を有している。
【００４７】
≪実施形態３≫
１．受け部２０５を備える水耕栽培装置の苗受構造
次に、図６と、図７（ａ）及び（ｂ）と、図８（ａ）及び（ｂ）と、を用いて構造ユニット３に固定した構造支持材９で植生トレー１１を支持して構成した受け部２０５（構造ユニットに固定した構造支持材で植生トレーを支持して構成）を備える水耕栽培装置の苗受構造（実施形態３）について詳細に説明する。上記実施形態１と同様の点については説明を省略することもある。
【００４８】
図６は、受け部２０５を備えた水耕栽培装置の苗受構造における概要を示す模式図である。図７（ａ）及び（ｂ）は、構造支持材９の構造を示す図であって、図７（ａ）は、構造支持材９の側面図であり、図７（ｂ）は、構造支持材９の平面図である。図８（ａ）及び（ｂ）は、受け部２０５の構造を示す図であって、図８（ａ）は、受け部２０５の側面図であり、図８（ｂ）は、受け部２０５の平面図である。
【００４９】
２．受け部２０５の構造
図６に示すとおり、受け部２０５は水耕栽培装置１を構成する構造ユニット３に構造支持材９を固定し、この構造ユニット９で植生トレー１１を支持し、前方（凹溝１３の一方の端部）を水耕栽培装置１内の水耕栽培用水槽１５内に挿入して構成されたものである。この受け部２０５を用いて収穫時や植生時における植生プレート１７の一時置き場とすることができる。
【００５０】
３．植生トレー１１
植生トレー１１は、図２及び図３（ａ）（ｂ）（ｃ）に示した板状部品であり、例えば所定の剛性を有する樹脂や、耐蝕性を有する金属材料を用いて形成されることが望ましい。また、短尺方向Ｙの両端に形成された凹溝１３の更に外側と、凹溝１３の長尺方向Ｘの上記他方の端部から更に外側と、に形成された所定幅の平滑部１９の底面が後述する構造支持材９の天面と当接する。
【００５１】
４．構造支持材９の構造
構造支持材９は、水耕栽培装置１を構成する構造ユニット３（筐体を構成する主な柱や梁等）に片持ち状態で接続され、上記植生トレー１１を支持する部品である。
【００５２】
図７（ａ）及び（ｂ）に示すとおり、本実施形態で用いる構造支持材９は、二本の略棒状の部品であって、例えば鋼管やアングル等で形成することが望ましい。長尺方向Ｘの長さ寸法Ｌ２は、上述した植生トレー１１の長尺方向Ｘの長さ寸法より略同様以上とすることが望ましい。なお、断面寸法は、植生トレー１１の重量と、植物５１の重量と一枚の植生トレー１１で可能な栽培株数の積による重量と、植生トレー１１に形成された凹溝１３を最大に満たす養液の重量と、の総量を容易に支持可能な強度を有するよう設定することが望ましい。
【００５３】
上記構造支持材９を、長尺方向Ｘと軸心を略平行に配置しながら、一方の端面を水耕栽培装置１に接続する。より具体的には、構造支持材９の一方の端面を、水耕栽培装置１を構成する構造ユニット３（本実施形態では柱）の側面に当接させ、溶接等で接続することが望ましい。
【００５４】
構造支持材９と、構造ユニット３と、の接続に適した高さ方向Ｚの位置は、構造支持材９の上端と、水耕栽培用水槽１５の上端と、を略同様の高さにし、植生トレー１１を配設した際に凹溝１３が水耕栽培用水槽１５内に入り込むように設定することが望ましい。
【００５５】
また、構造支持材９は、長尺方向Ｘの水平に対して所定の勾配角度θを持たせて構造ユニット３と接続されている。構造ユニット３が勾配角度θを有することで、構造支持材９が構造ユニット３側に下降するように傾斜した態様となる（特に図７（ａ）参照）。
【００５６】
二本の構造支持材９は、上記態様で互いに略平行となるよう接続されるが、上述した植生トレー１１と係合させるため、双方の離間寸法Ｌ１は、図３（ａ）及び（ｂ）に示す寸法Ｌ３と略同様とすることが望ましい。二本の構造支持材９の離間寸法Ｌ１を上記設定とすることで、植生トレー１１が具備する全ての凹溝１３を二本の構造支持材９の間に挿入し、平滑部１９の底面を確実に構造支持材９の上端に当接することができる。
【００５７】
５．構造支持材９に対する植生トレー１１の載置
本実施形態３に用いる受け部２０５は、上述した植生トレー１１を構造支持材９に支持させることにより構成される。
【００５８】
植生トレー１１は、水耕栽培装置１側に凹溝１３の一方の端部（外部と連通した端部）を対向させ、平滑部１９の底面を構造支持材９の上端に支持させる。植生トレー１１は、構造支持材９の勾配角度θに応じてこれと概ね同等に傾斜させながら、上記凹溝１３の一方の端部が水耕栽培装置１内に配設された水耕栽培用水槽１５の端縁から内部に挿入される。凹溝１３と水耕栽培用水槽１５とが水耕栽培装置１の長尺方向Ｘに略平行で、水耕栽培用水槽１５と植生トレー１１の凹溝１３との断面形状が略同様の形状（相似形状）で互いに適合しているため、凹溝１３に水耕栽培用水槽１５が容易に入り込ませて（嵌合させて）積層することができる。  
【００５９】
以上、本発明の実施形態について図面を参照しつつ説明してきたが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれることは、当業者にとっては容易に理解されるところである。
【産業上の利用可能性】
【００６０】
本実施形態における水耕栽培装置の苗受部構造は、収穫時や植生時に植物の根部を保護して絡まりを防止し、良好な衛生を維持しつつ作業性を好適に向上することができるものである。
【符号の説明】
【００６１】
１        水耕栽培装置
３        構造ユニット
５        受け部
７        排水管
９        構造支持材
１１      植生トレー
１３      凹溝
１５      水耕栽培用水槽
１７      植生プレート
１９      平滑部
２１      リブ
２３      立上り部
５１      植物
５３      根部
５５      床面
１０５    受け部
２０５    受け部
Ｌ１      寸法
Ｌ２      寸法
Ｌ３      寸法
Ｌ４      寸法
θ        勾配角度
Ｘ        長尺方向
Ｙ        短尺方向
Ｚ        高さ方向
【図１】
2019150001.tif 000003
【図２】
2019150001.tif 000004
【図３】
2019150001.tif 000005
【図４】
2019150001.tif 000006
【図５】
2019150001.tif 000007
【図６】
2019150001.tif 000008
【図７】
2019150001.tif 000009
【図８】
2019150001.tif 000010